(57)【特許請求の範囲】
【請求項１】
浴室の壁面と後面が接する浴槽の前面および両側面を前面エプロンと一対の側面エプロンとが囲う浴槽用三方エプロンの取付構造において、
前記側面エプロンは、前記浴槽のリム部と浴槽パンとの間に配置され、上端部に形成された突片部が前記浴槽のリム部に差し込まれた状態で前記浴槽を支持し、前記前面エプロンは、上端部に形成された突片部が前記浴槽のリム部に差し込まれると共に、前記側面エプロンの側面部と前記前面エプロンの両端部との嵌合機構により、前記側面エプロンと連結され、前記浴槽の前面および両方の側面を囲うように形成されたコ字状の補強用棒部材が、前記リム部の垂下部と、前記側面エプロンの突片部および前記前面エプロンの突片部との間に挟まれた状態で配置された浴槽用三方エプロンの取付構造。
【請求項２】
前記側面エプロンは、周縁部の内側に固定された補強用枠体を備えた請求項１記載の浴槽用三方エプロンの取付構造。
【請求項３】
前記前面エプロンは、前記浴槽パンに配置され、前記浴槽に向かって上り傾斜を有するステップに立設された請求項１または２記載の浴槽用三方エプロンの取付構造。
【請求項４】
前記嵌合機構は、クランプピンとボールインキャッチャーとにより構成された請求項１から３のいずれかの項に記載の浴槽用三方エプロンの取付構造。
【発明の詳細な説明】
【技術分野】
【０００１】
本発明は、前面エプロンと両側面エプロンとにより浴槽を囲う浴槽用三方エプロンの取付構造に関するものである。
【背景技術】
【０００２】
エプロンは、浴槽の胴部を隠し、浴槽の意匠性を高めると共に、浴槽を保護するカバーとして機能する。エプロンは、浴槽の前面のみに取り付けられるものの他、浴槽の前面と一方の側面を覆う二方エプロンや、浴槽の前面と両方の側面を覆う三方エプロンがある。
【０００３】
例えば、特許文献１には、フロントエプロン（前面エプロン）とサイドエプロン（側面エプロン）とが浴槽に取り付けられた浴室が記載されている。
【０００４】
このフロントエプロンは、槽部の洗い場側の側壁に設けられたフロントエプロン支持具により支持されている共に、浴槽を支える支柱に設けられたフロントエプロン支持具によっても支持されている。
槽部に設けられているフロントエプロン支持具は、槽部にねじ等で固定された支持台と、支持台の上に配置される支持ばねにより構成されている。一方、支柱に設けられているフロントエプロン支持具は、支柱に固定された支持板と、この上に配置される支持ばねにより構成されている。
【０００５】
フロントエプロンは、槽部側に突出したフロントエプロン被支持具が複数設けられ、このフロントエプロン被支持具がフロントエプロン支持具によって支持されることにより取付けられる。
【０００６】
また、サイドエプロンの右側は、浴槽の短辺側に回り込むフロントエプロンの回込み部に固定された接続板に取り付けられたサイドエプロン右支持具により支持されている。サイドエプロンの左側は、浴槽を支える支柱に固定されたサイドエプロン左支持具により支持されている。
【先行技術文献】
【特許文献】
【０００７】
【特許文献１】特開２０１６−２３８８号公報
【発明の概要】
【発明が解決しようとする課題】
【０００８】
この特許文献１に記載の浴室では、浴槽が支柱に支持されていると共に、フロントエプロンとサイドエプロンとが支柱や浴槽に固定された支持具により支持されている。従って、フロントエプロンとサイドエプロンとを浴槽に取り付けるために、多数の部品が必要であり、組み立てに工数を要するので、コストを増加させる。
【０００９】
そこで本発明は、簡単な構造でありながら、しっかりと浴槽を囲うことができ、組み立てが容易な浴槽用三方エプロンの取付構造を提供することを目的とする。
【課題を解決するための手段】
【００１０】
本発明は、浴室の壁面と後面が接する浴槽の前面および両側面を前面エプロンと一対の側面エプロンとが囲う浴槽用三方エプロンの取付構造において、前記側面エプロンは、前記浴槽のリム部と浴槽パンとの間に配置されて前記浴槽を支持し、前記前面エプロンは、前記浴槽のリム部に差し込まれると共に、前記側面エプロンの側面部と前記前面エプロンの両端部との嵌合機構により連結されることを特徴とするものである。
【００１１】
本発明によれば、側面エプロンが、浴槽のリム部と浴槽パンとの間に配置されて、浴槽を支持するため、側面エプロンは、浴槽を支持すると共に、しっかりと固定される。また、前面エプロンは、浴槽のリム部に差し込まれると共に、前記側面エプロンの側面部と前記前面エプロンの両端部との嵌合機構により連結される。従って、三方エプロンを浴槽に取り付け固定するための特別な部品が必要なく、簡単に設置することができる。
【００１２】
前記前面エプロンおよび前記側面エプロンは、上端部に、前記リム部の内側に差し込まれる突片部を有し、前記リム部と前記突片部との間に配置されたコ字状の補強用棒部材を備えていることが望ましい。補強用棒部材により、前面エプロンおよび両方の側面エプロンを一体的に連結することが可能なので、前面エプロンと両方の側面エプロンとの連結強度を向上させることができる。
【００１３】
前記側面エプロンは、周縁部の内側に固定された補強用枠体を備えることが望ましい。側面エプロンが補強用枠体を備えることで、側面エプロンが補強され、強度が向上するため、浴槽をしっかりと支持させることができる。
【００１４】
前記前面エプロンは、前記浴槽パンに配置され、前記浴槽に向かって上り傾斜を有するステップに立設されていることが望ましい。入浴者は、浴槽に向かって上り傾斜となるステップに足を載せることで、前面エプロンを跨ぎやすくすることができる。従って、介護者が要介護者を簡単に入浴させることができる。
【００１５】
前記嵌合機構は、クランプピンとボールインキャッチャーとにより構成されていることが望ましい。そうすることで、クランプピンをボールインキャッチャーに差し込むだけで、前面エプロンと側面エプロンとを簡単に連結させることができる。
【発明の効果】
【００１６】
本発明によれば、三方エプロンを浴槽に取り付け固定するための特別な部品が必要なく、組み立てが容易であるため、簡単な構造でありながら、しっかりと浴槽を囲うことができる。
【図面の簡単な説明】
【００１７】
【図１】本発明の実施の形態に係る浴室を示す斜視図である。
【図２】図１に示す浴室の正面図である。
【図３】図１に示す浴室の平面図である。
【図４】図２に示す浴室のＡ−Ａ線断面図である。
【図５】図３に示す浴室のＢ−Ｂ線断面図である。
【図６】図１に示す浴室の浴槽および三方エプロンの取付構造を説明するための分解斜視図である。
【図７】図６に示す前面エプロンの斜視図である。
【図８】図７に示す前面エプロンの背面図である。
【図９】図４に示す断面図の一部拡大図である。
【図１０】図５に示す断面図の一部拡大図である。
【発明を実施するための形態】
【００１８】
本発明の実施の形態に係る浴槽用三方エプロンの取付構造を図面に基づいて説明する。なお、本明細書においては、浴槽の方向を、洗い場から浴槽を見て、手前側を前、その反対側を後として説明する。
図１に示す浴室１０は、例えば、介護施設や病院などに設置される。浴室１０は、洗い場となる洗い場パン３０と、壁面（図示せず）と後面が接する浴槽２０が配置された浴槽パン４０とにより区画されている。
【００１９】
浴槽２０は、外形が平面視矩形状に形成されている。浴槽２０は、湯が貯留され、入浴者が浸かる槽本体２１０と、槽本体２１０の上端部から周囲に向かって突出したリム部２２０とを備えている。
【００２０】
図１および図３に示すように、槽本体２１０内の左端部には、入浴者が腰掛けたり、踏み台としたりするために、排水口２１１の位置より深さが浅くなる第１段差部２１２が形成されている。また、槽本体２１０内には、第１段差部２１２の両側と、第１段差部２１２の反対側の右端部の両側に、肘掛けとして利用できる第２段差部２１３が形成されている。
槽本体２１０の底面には、下方に延びて洗い場パン３０に立設して、槽本体２１０を支持する支柱部２１４（図４および図５参照）が形成されている。
【００２１】
図９および図１０に示すように、リム部２２０は、槽本体２１０の上端から外側へ張り出したフランジ状の水平部２２１と、水平部２２１の先端から下方へ延びる垂下部２２２とを備えている。
【００２２】
図１および図２に示すように、洗い場パン３０は、排水口３０１へ向かって下り傾斜となる矩形状の洗い場となる第１床部３０２が形成されている。洗い場パン３０の周縁部には、浴室１０の壁面と扉（図示せず）が設置される溝部３０３が形成されている。図４および図９に示すように、洗い場パン３０の浴槽パン４０側の端辺は、浴槽パン４０の端部を受けるための段差部３０４が形成されている。洗い場パン３０は、樹脂製である。
【００２３】
図１および図５に示すように、浴槽パン４０は、槽本体２１０が位置する凹部４１０と、凹部４１０から左右に延びて、移乗台を置いたり、要介護者を援助しながら入浴させる介護者が作業したり待機したりする介護用スペースとなる第２床部４２１および第３床部４２２とを備えている。浴槽パン４０は、樹脂製である。
【００２４】
図５に示すように、凹部４１０の一方（左側）の側壁部４１１の上端と第２床部４２１との間、および凹部４１０の他方（右側）の側壁部４１１の上端と第３床部４２２との間には、後述する側面エプロンが配置される段差部４１２が、側壁部４１１の上端と床部（第２床部４２１，第３床部４２２）とのそれぞれに連続して形成されている。
段差部４１２は、側壁部４１１の上端の高さであり、床部（第２床部４２１，第３床部４２２）から下がった位置に形成されている。
【００２５】
図４および図９に示すように、浴槽パン４０と洗い場パン３０との境界となる直線状の端辺４３１は、逆Ｌ字状に形成されており、洗い場パン３０の段差部３０４に載置されることで、段差部３０４により担持されている。端辺４３１上には、矩形状のステップ５１が配置されている。
【００２６】
ステップ５１は、浴槽２０に向かって上り傾斜を有している。ステップ５１は、樹脂製である。
【００２７】
図６に示すように、浴槽２０は、浴槽２０の前面２０ａおよび両方の側面２０ｂ，２０ｃを、前面エプロン６０と一対の側面エプロン７０とが囲っている。前面エプロン６０と一対の側面エプロン７０とは、樹脂製である。
【００２８】
図７および図８に示すように、前面エプロン６０は、前面エプロン本体部６０１が、下部６０２から上部６０３へ向かうに従って徐々に、入浴者が立つ前方に向かって迫り出すように傾斜する円弧面に形成されている。
前面エプロン本体部６０１の裏面側の両端部および中央部には、上下方向に沿って上下方向用補強部６０１ａが形成されている。また、前面エプロン本体部６０１の裏面側の下端には、幅方向Ｆ１に沿って幅方向用補強部６０１ｂが形成されている。
【００２９】
前面エプロン本体部６０１の両端部には、後方に向かって突出する側面部６０４が形成されている。側面部６０４は、前面エプロン６０を側面から見て、前面エプロン本体部６０１と接する端辺が円弧線で形成され、前面エプロン本体部６０１と接する端辺と反対側の上下方向に延びる端面が垂直辺に形成されている。そのため、側面部６０４は、下部６０２から上部６０３へ向かうに従って徐々に幅広になるように形成されている。
【００３０】
側面部６０４の先端部には、側面エプロン７０の側面部と対向する当接面６０４ａが形成されている。この当接面６０４ａの下部には、側面エプロン７０の側面に連結するための嵌合機構が設けられている。
前面エプロン６０の上端部には、前面エプロン本体部６０１の幅方向Ｆ１に沿って前面エプロン本体部６０１の両端部に跨がる天面部６０５が形成されている。
【００３１】
天面部６０５は、両端部の当接面６０４ａの幅分を残す矩形状の切り欠き部６０５ｂが形成されている。天面部６０５には、突片部６０５ａが、切り欠き部６０５ｂの輪郭に沿って平面視コ字状に形成されている。
【００３２】
図６および図１０に示すように、側面エプロン７０は、側面視矩形状に形成された側面エプロン本体部７０１と、側面エプロン本体部７０１から浴槽２０側へ向かって張り出した周縁部となる、天面部７０２、前面エプロン６０側の側面部７０３、壁側の側面部７０４および底面部７０５とを備えている。
側面エプロン７０の上端部である天面部７０２は、浴槽２０側の端部に、側面エプロン本体部７０１の幅方向Ｆ２に沿った突片部７０２ａが形成されている。
【００３３】
側面エプロン７０には、側面エプロン本体部７０１の裏側であって、天面部７０２、側面部７０３、側面部７０４および底面部７０５により囲まれた内側に、金属製の補強用枠体７１０が嵌め込まれ、固定されている。
また、側面エプロン７０には、前面エプロン６０側の側面部７０３の下部に、前面エプロン６０の両端部に配置された一方の嵌合機構と対をなす他方の嵌合機構が配置されている。
【００３４】
この嵌合機構は、例えば、クランプピンとボールインキャッチャーとすることができる。前面エプロン６０の側面部６０４における当接面６０４ａの裏側にクランプピン（図示せず）を取り付け、当接面６０４ａに形成された貫通孔６０４ｂ（図７および図８参照）から突出させる。また、図８に示す補強用枠体７１０にボールインキャッチャー（図示せず）を取り付け、側面エプロン７０の側面部７０３と、補強用枠体７１０とに形成された貫通孔７０３ａ，７１０ａ（図６参照）からボールインキャッチャーの挿入用穴を覗かせる。
そうすることで、前面エプロン６０側のクランプピンが、側面エプロン７０側のボールインキャッチャーに嵌合して、前面エプロン６０を側面エプロン７０に連結することができる。
【００３５】
図６、図９および図１０に示す前面エプロン６０の突片部６０５ａおよび側面エプロン７０の突片部７０２ａが、浴槽２０のリム部２２０の内側に差し込まれたときに、リム部２２０と突片部６０５ａ，７０２ａとの間に配置されるコ字状の補強用棒部材８０を備えている。補強用棒部材８０は金属製である。
【００３６】
以上のように構成された本発明の実施の形態に係る浴室における三方エプロンの取付方法を、図面に基づいて説明する。なお、浴室１０には、洗い場パン３０と浴槽パン４０とが既に設置されているものとする。
まず、浴槽パン４０の段差部４１２に、両方の側面エプロン７０を立て、壁側の側面部７０４を浴室１０の壁面に固定する。
両方の側面エプロン７０が段差部４１２に立設されると、浴槽２０を両方の側面エプロン７０の間に設置する。
【００３７】
このとき、コ字状の補強用棒部材８０を、側面エプロン７０の天面部７０２上に形成された突片部７０２ａの外側に位置させる。そして、浴槽２０を設置する。そうすることで、側面エプロン７０の突片部７０２ａが、浴槽２０のリム部２２０の内側に差し込まれた状態となり、補強用棒部材８０が、リム部２２０の垂下部２２２と、側面エプロン７０の突片部７０２ａとの間に、挟まれた状態となる。
このように側面エプロン７０が設置されることで、浴槽２０のリム部２２０は、側面エプロン７０によりしっかりと支持される。
【００３８】
次に、ステップ５１を、浴槽２０の前方の浴槽パン４０上に配置する。
次に、図６および図９に示すように、側面エプロン７０が設置された浴槽２０に前面エプロン６０を設置する。前面エプロン６０を設置するときには、前面エプロン６０の上部６０３を、浴槽２０に向いた設置者の前方側に倒して前面エプロン６０を傾斜させる。
そして、前面エプロン６０の天面部６０５に形成された突片部６０５ａを、補強用棒部材８０の奥側へ差し込む。そうすることで、補強用棒部材８０が、リム部２２０の垂下部２２２と、前面エプロン６０の突片部６０５ａとの間に、挟まれた状態となる。
【００３９】
前面エプロン６０の幅方向Ｆ１に沿った突片部６０５ａを、浴槽２０の長辺側のリム部２２０の垂下部２２２に差し込み、前面エプロン６０の下部６０２を回動させて、前面エプロン６０を立てた姿勢とする。そして、前面エプロン６０をステップ５１に立設させる。
そうすることにより、前面エプロン６０の奥行き方向Ｆ３に沿った突片部６０５ａが、浴槽２０の短辺側のリム部２２０の垂下部２２２に差し込まれ、前面エプロン６０のクランプピンが、側面エプロン７０の側面部７０３，７０４に配置されたボールインキャッチャーに嵌合することで、前面エプロン６０を側面エプロン７０に連結することができる。
【００４０】
このように本実施の形態に係る三方エプロン（前面エプロン６０および側面エプロン７０）の取付構造によれば、側面エプロン７０が、浴槽２０のリム部２２０と浴槽パン４０との間に配置されて、浴槽２０を支持するため、側面エプロン７０は、浴槽２０を支持すると共に、しっかりと固定される。また、前面エプロン６０は、浴槽２０のリム部２２０に差し込まれると共に、側面エプロン７０の側面部７０３と前記前面エプロンの両端部との嵌合機構により連結される。従って、三方エプロンを浴槽に取り付け固定するための特別な部品が必要なく、簡単に設置することができる。
よって、本実施の形態に係る浴槽用三方エプロンは、簡単な構造でありながら、しっかりと浴槽２０を囲うことができ、組み立てが容易である。
【００４１】
また、前面エプロン６０および側面エプロン７０は、上端部となる天面部６０５，７０２に、リム部２２０の内側に差し込まれる突片部６０５ａ，７０２ａを有し、リム部２２０と突片部６０５ａ，７０２ａとの間に配置されたコ字状の補強用棒部材８０を備えている。従って、補強用棒部材８０により、前面エプロン６０および両方の側面エプロン７０を一体的に連結することが可能なので、前面エプロン６０と両方の側面エプロン７０との連結強度を向上させることができる。
【００４２】
側面エプロン７０は、天面部７０２，側面部７０３，７０４，底面部７０５からなる周縁部の内側に、補強用枠体７１０が固定されているため、側面エプロン７０が補強され、強度が向上するので、浴槽２０をしっかりと支持させることができる。
【００４３】
浴槽パン４０が、洗い場パン３０より下がった位置に配置されているため、前面エプロン６０および側面エプロン７０と浴槽２０とを、洗い場パン３０に対して低い位置に設置することができる。従って、要介護者が入浴する際に、前面エプロン６０を大きく跨がなくても入浴することができる。
【００４４】
前面エプロン６０は、浴槽パン４０に配置され、浴槽２０に向かって上り傾斜を有するステップ５１に立設されている。そのため、入浴者は、浴槽に向かって上り傾斜となるステップに足を載せることで、前面エプロンを跨ぎやすくすることができる。従って、介護者が要介護者を簡単に入浴させることができる。
【００４５】
嵌合機構を、前面エプロン６０に形成されたクランプピンと、側面エプロン７０に形成されたボールインキャッチャーとにより構成することで、クランプピンをボールインキャッチャーに差し込むだけで、前面エプロン６０と側面エプロン７０とを簡単に連結させることができる。
【産業上の利用可能性】
【００４６】
本発明の浴槽用三方エプロンの取付構造は、浴槽の前面および両方の側面を囲うことができるので、浴槽の前方だけでなく、側方にスペースが取れるため、複数人で入浴するような浴槽に好適であり、特に、介護施設、医療施設などの浴槽に最適である。
【符号の説明】
【００４７】
１０  浴室
２０  浴槽
２０ａ  前面
２０ｂ  側面 
２１０  槽本体
２１１  排水口
２１２  第１段差部
２１３  第２段差部
２１４  支柱部
２２０  リム部
２２１  水平部
２２２  垂下部
３０  洗い場パン
３０１  排水口
３０２  第１床部
３０３  溝部
３０４  段差部
４０  浴槽パン
４１０  凹部
４１１  側壁部
４１２  段差部
４２１  第２床部
４２２  第３床部
４３１  端辺
５１  ステップ
６０  前面エプロン
６０１  前面エプロン本体部
６０１ａ  上下方向用補強部
６０１ｂ  幅方向用補強部
６０２  下部
６０３  上部
６０４  側面部
６０４ａ  当接面
６０４ｂ  貫通孔
６０５  天面部
６０５ａ  突片部
６０５ｂ  切り欠き部
７０  側面エプロン
７０１  側面エプロン本体部
７０２  天面部
７０２ａ  突片部
７０３，７０４  側面部
７０３ａ  貫通孔
７０５  底面部
７１０  補強用枠体
７１０ａ  貫通孔
８０  補強用棒部材
Ｆ１，Ｆ２  幅方向
Ｆ３  奥行き方向
【図１】
0006483051.tif 000002
【図２】
0006483051.tif 000003
【図３】
0006483051.tif 000004
【図４】
0006483051.tif 000005
【図５】
0006483051.tif 000006
【図６】
0006483051.tif 000007
【図７】
0006483051.tif 000008
【図８】
0006483051.tif 000009
【図９】
0006483051.tif 000010
【図１０】
0006483051.tif 000011